(57)【要約】【課題】非接触ＩＣカードを使用する時点で操作されているキー操作状態に基づいて非接触ＩＣカードの使用を許可できるようにする。【解決手段】携帯電話装置においては、カード端末装置(ＩＣカードリーダライタ)４０との非接触通信により非接触ＩＣカード処理部３２が起動された際に、この時点で操作されているサブキー入力部１２上のサイドキーを示す操作キー情報とユーザ認証用として登録設定されている「キー組み合わせ情報」とを照合し、両者が一致する場合には、非接触ＩＣカード処理部３２の起動を有効としてＩＣカードリーダライタ４０との間での交信を許可する。【選択図】  図1
2006253762.tif 000002
【特許請求の範囲】
【請求項１】
非接触ＩＣカード処理部とキー入力部を備えた携帯端末装置であって、
ユーザ認証用としてキー操作の状態を示す操作キー情報を記憶管理する認証情報記憶手段と、
外部処理装置との非接触通信により非接触ＩＣカード処理部が起動された際に、この時点で操作されている前記キー入力部上の操作キーを検出するキー検出手段と、
このキー検出手段によって検出された操作キー情報と前記認証情報として記憶されている操作キー情報とを照合して両者が一致するか否かを判別する判別手段と、
この判別手段によって両者の一致が判別された場合に、非接触ＩＣカード処理部の起動を有効として外部処理装置との間での交信を許可する制御手段と、
を具備したことを特徴とする携帯端末装置。
【請求項２】
前記制御手段は、前記判別手段によって不一致が判別された場合に、非接触ＩＣカード処理部の起動を無効とする、
ようにしたことを特徴とする請求項1記載の携帯端末装置。
【請求項３】
前記制御手段は、前記判別手段によって不一致が判別される毎に更新される誤入力回数が予め決められている入力許可回数を超えた際に、非接触ＩＣカード処理部の起動を無効とする、
ようにしたことを特徴とする請求項２記載の携帯端末装置。
【請求項４】
前記認証情報記憶手段は、前記操作キー情報とは別途にユーザ認証用として暗証番号を記憶管理し、
前記制御手段は、前記判別手段によって不一致が判別された場合に、暗証番号の入力を促すと共に、入力された暗証番号と前記ユーザ認証用として記憶されている暗証番号とを照合した結果、両者が一致する場合には、非接触ＩＣカード処理部の起動を有効として外部処理装置との間での交信を許可する、
ようにしたことを特徴とする請求項１記載の携帯端末装置。
【請求項５】
前記非接触ＩＣカード処理部は、外部処理装置からの受信電波によって電磁誘導される電力を電源として動作する構成であると共に、この非接触ＩＣカード処理部とキー入力部とは、前記電磁誘導された電力をキー入力部に供給する電源ラインとキー入力部からキー操作信号を取り込む信号ラインを介して接続されており、
前記キー検出手段は、非接触ＩＣカード処理部が起動された際に、前記電磁誘導された電力を電源として、キー入力部からのキー操作信号を取り込んでその操作キーを検出する、
ようにしたことを特徴とする請求項1記載の携帯端末装置。
【請求項６】
装置本体を構成する複数の筐体の位置関係に応じて装置本体の形態を複数のスタイルに変更可能な携帯端末装置であって、
装置本体がどのようなスタイルに変更されても操作可能な位置に前記キー入力部を設けた、ことを特徴とする請求項1記載の携帯端末装置。
【請求項７】
コンピュータに対して、
ユーザ認証用としてキー操作の状態を示す操作キー情報を記憶管理する機能と、
外部処理装置との非接触通信により非接触ＩＣカード処理部が起動された際に、この時点で操作されているキー入力部上の操作キーを検出する機能と、
検出された操作キー情報と前記認証情報として記憶されている操作キー情報とを照合して両者が一致するか否かを判別する機能と、
両者の一致が判別された場合に、非接触ＩＣカード処理部の起動を一時的に有効として外部処理装置との間での交信を許可する機能と、
を実現させるためのプログラム。
【発明の詳細な説明】
【技術分野】
【０００１】
この発明は、非接触ＩＣカード処理部とキー入力部を備えた携帯端末装置およびプログラムに関する。
【背景技術】
【０００２】
近年、携帯電話装置および非接触ＩＣカードの技術進歩に伴い、たとえば、定期券、乗車券などとして利用可能な非接触ＩＣカード付きの携帯電話装置が実用化され、また、現金、クレジットカードに代わって電子マネーによる支払いを可能とした非接触ＩＣカード付きの携帯電話装置が実用化されている。
ところで、従来、ＩＣカードの紛失、盗難による不正使用の防止策として、たとえば、暗証番号入力後、所定時間内で決済処理を許可するようにしたＩＣカードが知られている（特許文献１参照）。
【特許文献１】特開平０５−１０８９０６号公報
【発明の開示】
【発明が解決しようとする課題】
【０００３】
上述した特許文献１の技術を非接触ＩＣカード付き携帯電話装置に適用すれば、携帯電話装置の紛失、盗難時の不正使用防止策として有効なものとなるが、非接触ＩＣカードを使用する毎に、たとえば、４桁数値列などの暗証番号を事前に入力しておく必要がある。たとえば、開閉式折畳型の携帯電話にあっては、上部筐体と下部筐体とが重なり合っている閉じた状態(クローズスタイル)から開いた状態のオープンスタイルに変更すると共に、この状態でキーボード上の数値キーを操作して暗証番号をキー入力した後、所定時間以内に携帯電話を取引端末側に接近させる必要がある。このようにスタイル変更、暗証番号の事前入力、取引端末側への接近という３種類のアクションを行う必要があると共に、会計待ち行列の込み具合、買い物忘れなどよって所定時間が経過してしまうと、再度、暗証番号を入力し直さなければならず、ユーザに大きな負担をかけるほか、キー操作時に暗証番号を盗み読みされたり、指の動きによって推測される可能性が高く、安全性の点でも問題が残る。
【０００４】
この発明の課題は、非接触ＩＣカードを使用する時点で操作されているキー操作状態に基づいて非接触ＩＣカードの使用を許可できるようにすることである。
【課題を解決するための手段】
【０００５】
請求項１記載の発明は、非接触ＩＣカード処理部とキー入力部を備えた携帯端末装置であって、ユーザ認証用としてキー操作の状態を示す操作キー情報を記憶管理する認証情報記憶手段と、外部処理装置との非接触通信により非接触ＩＣカード処理部が起動された際に、この時点で操作されている前記キー入力部上の操作キーを検出するキー検出手段と、このキー検出手段によって検出された操作キー情報と前記認証情報として記憶されている操作キー情報とを照合して両者が一致するか否かを判別する判別手段と、この判別手段によって両者の一致が判別された場合に、非接触ＩＣカード処理部の起動を有効として外部処理装置との間での交信を許可する制御手段とを具備したことを特徴とする。
さらに、コンピュータに対して、上述した請求項１記載の発明に示した主要機能を実現させるためのプログラムを提供する（請求項７記載の発明）。
【０００６】
なお、請求項１記載の発明は次のようなものであってもよい。
前記制御手段は、前記判別手段によって不一致が判別された場合に、非接触ＩＣカード処理部の起動を無効とする（請求項２記載の発明）。
この場合、前記制御手段は、前記判別手段によって不一致が判別される毎に更新される誤入力回数が予め決められている入力許可回数を超えた際に、非接触ＩＣカード処理部の起動を無効とするようにしてもよい（請求項３記載の発明）。
【０００７】
前記認証情報記憶手段は、前記操作キー情報とは別途にユーザ認証用として暗証番号を記憶管理し、前記制御手段は、前記判別手段によって不一致が判別された場合に、暗証番号の入力を促すと共に、入力された暗証番号と前記ユーザ認証用として記憶されている暗証番号とを照合した結果、両者が一致する場合には、非接触ＩＣカード処理部の起動を有効として外部処理装置との間での交信を許可する（請求項４記載の発明）。
【０００８】
前記非接触ＩＣカード処理部は、外部処理装置からの受信電波によって電磁誘導される電力を電源として動作する構成であると共に、この非接触ＩＣカード処理部とキー入力部とは、前記電磁誘導された電力をキー入力部に供給する電源ラインとキー入力部からキー操作信号を取り込む信号ラインを介して接続されており、前記キー検出手段は、非接触ＩＣカード処理部が起動された際に、前記電磁誘導された電力を電源として、キー入力部からのキー操作信号を取り込んでその操作キーを検出する（請求項５記載の発明）。
【０００９】
装置本体を構成する複数の筐体の位置関係に応じて装置本体の形態を複数のスタイルに変更可能な携帯端末装置であって、装置本体がどのようなスタイルに変更されても操作可能な位置に前記キー入力部を設けた（請求項６記載の発明）。
【発明の効果】
【００１０】
請求項１記載の発明によれば、ユーザ認証用としてキー操作の状態を示す操作キー情報を記憶管理している状態において、外部処理装置との非接触通信により非接触ＩＣカード処理部が起動された際に、この時点で操作されているキー入力部上の操作キーを検出すると共に、この操作キー情報とユーザ認証用として記憶されている操作キー情報とを照合して両者が一致するか否かを判別し、両者が一致する場合には、非接触ＩＣカード処理部の起動を有効として外部処理装置との間での交信を許可するようにしたから、非接触ＩＣカードを使用する時点で操作されているキー操作状態に基づいて非接触ＩＣカードの使用を許可することができる。
【００１１】
すなわち、取引端末側などに携帯電話を接近させながらキー操作を行えばよく、それだけアクション数を減らすことができるほか、キー操作状態を手の甲などで覆い隠すことができ、盗み読みされたり、指の動きによって推測される危険性もなく、また、非接触ＩＣカードの使用に先立ってユーザ認証用のキー操作を事前に行う必要がないため、たとえば、会計待ち人数などによって待ち時間が長くなってもその影響を受けることもない。このように携帯端末装置の紛失、盗難などによる不正使用防止対策としてユーザ認証を条件としても操作性を損なわず、安全性を維持することが可能となる。
【００１２】
請求項２記載の発明によれば、上述した請求項１記載の発明と同様の効果を有するほか、非接触ＩＣカード処理部が起動された際にユーザ認証用の操作キー情報に一致しない場合には、非接触ＩＣカード処理部の起動を無効とするようにしたから、不正使用防止対策として確実なものとなる。この場合、アラーム音を発生したり、メッセージを表示することによってキー操作を促すようにしてもよい。
【００１３】
この場合、不一致が判別される毎に更新される誤入力回数が入力許可回数を超えた際に、非接触ＩＣカード処理部の起動を無効とするようにすれば(請求項３記載の発明)、第三者のランダム操作による偶発的なヒットを防ぐことができ、不正使用防止対策として有効なものとなる。
【００１４】
請求項４記載の発明によれば、上述した請求項１記載の発明と同様の効果を有するほか、操作キー情報とは別途にユーザ認証用として暗証番号が記憶管理されている状態において、非接触ＩＣカード処理部が起動された際にユーザ認証用の操作キー情報に一致しない場合に、暗証番号の入力を促すと共に、入力された暗証番号と前記ユーザ認証用として記憶されている暗証番号とを照合した結果、両者が一致する場合には、非接触ＩＣカード処理部の起動を有効として外部処理装置との間での交信を許可するようにしたから、本人などの正規なユーザがキー操作を失念してしまったような場合でも、暗証番号を入力するだけで非接触ＩＣカードの使用が可能となる。
【００１５】
請求項５記載の発明によれば、上述した請求項１記載の発明と同様の効果を有するほか、非接触ＩＣカード処理部は、外部処理装置からの受信電波によって電磁誘導される電力を電源として動作する構成であると共に、この非接触ＩＣカード処理部とキー入力部とは、電磁誘導された電力をキー入力部に供給する電源ラインとキー入力部からキー操作信号を取り込む信号ラインを介して接続されており、非接触ＩＣカード処理部が起動された際に、電磁誘導された電力を電源として、キー入力部からのキー操作信号を取り込んでその操作キーを検出するようにしたから、装置本体側の電池が残量不足であっても操作キーを検出することができる。この場合、従来のＩＣカードにあっては、電池切れになると、所有者本人であっても暗証番号を入力することができないため、ＩＣカード自体の使用が不可能となるが、この請求項５記載の発明にあっては、電池切れの場合であっても、その影響を受けることなく、正規なユーザであることを条件に非接触ＩＣカードを使用することが可能となる。
【００１６】
請求項６記載の発明によれば、上述した請求項１記載の発明と同様の効果を有するほか、装置本体を構成する複数の筐体の位置関係に応じて装置本体の形態を複数のスタイルに変更可能な携帯端末装置であって、装置本体がどのようなスタイルに変更されても操作可能な位置にキー入力部を設けたから、たとえば、開閉式折畳型の携帯端末装置において、その両側面に配置したサイドキー群をキー入力部とすれば、上部筐体と下部筐体とが重なり合っている閉じた状態(クローズスタイル)から開いた状態のオープンスタイルに変更しなくても、クローズスタイルのままキー操作を行うことができ、ユーザの負担を軽減できるほか、キー操作を行っていることを第三者に気付かれることもなく、安全性を高めることができる。
【発明を実施するための最良の形態】
【００１７】
以下、図１〜図８を参照して本発明の第１実施例を説明する。
この実施例は、携帯端末装置として携帯電話装置に適用した場合を例示したもので、図１は、携帯電話装置の外観図であり、(Ａ)は、折り畳み型の装置本体を開いた状態での正面図、(Ｂ)は、その状態での背面図である。
この携帯電話装置は、二次電池(図示せず)を主電源として動作するもので、電話機能、メール機能、カメラ撮影機能、インターネット接続機能以外の付加機能として、非接触ＩＣカード機能などが装備されている。この携帯電話装置の正面側には、図１(Ａ)に示すように、メインキー入力部１、メイン表示部２のほか、電話機能を構成する音声スピーカ３およびマイクロホン４などが設けられている。また、携帯電話装置の背面側には、図１(Ｂ)に示すように、サブ表示部５、カメラ撮影機能を構成する撮影レンズ６およびフラッシュ用ＬＥＤ７、着信報知機能を構成する報知用ＬＥＤ８および報知用スピーカ９のほか、アンテナ１０、録音用のマイクロホン(録音マイク)１１などが設けられている。また、携帯電話装置の両側面には、サブキー入力部１２が設けられている。
【００１８】
メインキー入力部１は、押しボタン式の各種のキーを備え、ダイヤル入力、文字入力、コマンド入力などを行うもので、このメインキー入力部１には、たとえば、動作モード(メールモード、カメラモードなど)に切り換えるモードキーと、電源をＯＮ／ＯＦＦしたり、通話を切るオンフック操作時に使用される電源キーと、通話を開始するオフフック操作時に使用される開始キー、電話番号を入力するほかに電話帳登録時あるいはメール作成時に文字データを入力するダイヤルキーと、４方向に対応してメニュー項目などを選択する方向キーと、方向キーで選択された項目を決定するときなどに使用される決定キーを有している。
【００１９】
また、メイン表示部２は、折り畳み式の装置本体を開いた状態において、文字情報、画像情報などを高精細に表示可能な主画面であり、サブ表示部５は、折り畳み式の装置本体を折り畳んだ状態において、現在時刻、メッセージなどを案内表示する背面側の画面である。サブキー入力部１２は、装置本体の両側面に２個ずつ配置されたサイドキー群であり、後述する非接触ＩＣカードを使用する際に、これらのサイドキーを任意に組み合わせて操作するようにしている。
【００２０】
図２は、このカメラ付き携帯電話装置の基本的構成要素を示したブロック図である。
本体装置側に設けられている本体ＣＰＵ２１は、記憶部２２内の各種のプログラムに応じてこの携帯電話装置の全体動作を制御する中央演算処理装置である。記憶部２２は、不揮発性メモリ(内部メモリ)であり、たとえば、フラッシュメモリなどによって構成され、プログラム領域とデータ領域とを有し、このプログラム領域には、後述する図４に示す動作手順に応じて本実施例を実現するためのプログラムが格納されている。メモリ２３は、ワーク領域を有する内部メモリであり、また、メモリカード２４は、着脱自在な記録メディアであり、たとえば、スマートメディア、ＩＣカードなどによって構成され、メモリ２３との間において画像データなどの授受が行われる。
【００２１】
本体ＣＰＵ２１には、通信データ処理部２５、オーディオインターフェイス２６が接続されており、アンテナ１０からの受信電波が無線部２７によって検波、復調されると共にデジタル変換されて通信データ処理部２５に与えられると、通信データ処理部２５は、電話呼出、メール受信、インターネット受信かを判別し、電話呼出あるいはメール受信であれば、本体ＣＰＵ２１は、音源ＩＣ部２８に設定されている着信音を読み出してアンプ(ＡＭＰ)２９に与え、報知用スピーカ９から着信音を発生出力させると共に、表示制御部３０を介して報知用ＬＥＤ８を点滅駆動させる。
【００２２】
また、本体ＣＰＵ２1は、電話呼び出しであれば、オフフック操作に応じて電話相手先との接続が確立されると、通信データ処理部２５からの音声データをオーディオインターフェイス２６を介して音声スピーカ３から発生出力させる。この場合、マイクロホン４からの入力音声は、オーディオインターフェイス２６、通信データ処理部２５を介して無線部２７に与えられてアナログ変換されると共に変調された後にアンテナ１０から発信出力される。また、ＣＰＵ２１は、メール受信であれば、受信メールを通信データ処理部２５から取り込んでメールボックス(図示せず)に格納する。また、本体ＣＰＵ２１には、その入出力周辺デバイスであるキー入力部１が接続されていると共に、表示制御部３０を介してメイン表示部２、サブ表示部５、報知用ＬＥＤ８が接続され、さらに、カメラ撮像部３１、非接触ＩＣカード処理部３２、ＧＰＳ(Global Positioning System)受信部３３が接続されている。
【００２３】
非接触ＩＣカード処理部３２は、電子マネー支払い機能として利用されるもので、専用ＣＰＵ３２Ａ、メモリ部３２Ｂ、コイルアンテナ部３２Ｃを有し、外部端末装置としてのＩＣカードリーダライタ (カード端末装置)４０との間で微弱電波によって近距離通信が行われる。専用ＣＰＵ３２Ａは、メモリ部３２Ｂに格納されているプログラムに応じて図５〜図７に示すフローチャートに応じた動作を実行する。メモリ部３２Ｂは、たとえば、フラッシュメモリなどによって構成され、プログラム領域とデータ領域とを有し、データ領域には、電子マネーに関するデータが格納されている。コイルアンテナ部３２Ｃは、電波を送受信するもので、ＩＣカード処理チップ３２は、ＩＣカードリーダーライタ４０からの受信電波を検出すると、コイルアンテナ部３２Ｃによって電磁誘導された起電力を電源として起動する。
【００２４】
非接触ＩＣカード処理部３２は、電子マネー支払い機能として利用される場合に、ＩＣカードリーダーライタ４０からの受信電波によって起動すると、マネー残高を読み出してアンテナ部３２Ｂから発信出力させる。この場合、ＩＣカードリーダーライタ４０は、取引端末装置(ＰＯＳ端末装置)５１に接続されており、ＩＣカード処理チップ３２から受信取得したカード残金から今回の取引金額(請求金額)が減算されてマネー残高の更新が行われると、この更新後の新たなマネー残高を発信出力させる。このＩＣカードリーダーライタ４０からの更新後の新たなマネー残高は、ＩＣカード処理チップ３２内のメモリ部３２Ｂに書き込まれることによって電子マネー残高の更新が行われる。このような非接触ＩＣカードの使用時には、携帯電話装置をＩＣカードリーダーライタ４０側に接近させるが、その際、サブキー入力部１２上のサイドキーを操作しながら接近させるようにしている。
【００２５】
図３は、非接触ＩＣカード処理部３２側において、電子マネーに関するデータとして格納されているメモリ部３２Ｂの内容を示した図である。
このメモリ部３２Ｂには「キー組み合わせ情報」、「電子マネー種」、「電子マネー残高」、「電子マネー使用履歴」、「入力許可回数」、「暗証番号」、「誤入力回数」が電子マネーに関するデータとして格納されている。「キー組み合わせ情報」は、非接触ＩＣカードを使用する時点(ＩＣカードリーダーライタ４０側に接近させた時点)で操作されているサブキー入力部１２上のサイドキーの組み合わせ操作状態に基づいて正規なユーザによる操作か否かを認証するためのユーザ認証用として、予め任意に設定登録された操作キー情報であり、たとえば、“左上サイドキーと右下サイドキーを同時に押している状態で右上サイドキーの２回連続押下”などが「キー組み合わせ情報」として設定されている。
【００２６】
この場合、非接触ＩＣカード処理部３２側の専用ＣＰＵ３２Ａは、非接触ＩＣカードを使用する時点で操作されているサブキー入力部１２上のサイドキーの組み合わせ操作状態を示す操作キー情報と、「キー組み合わせ情報」として設定されている操作キー情報とを比較し、両者の一致することを条件に、ＩＣカード処理チップ３２の起動を有効としてカード端末装置(ＩＣカードリーダライタ)４０との間での交信を許可するようにしている。「電子マネー種」は、たとえば、各種のサービス機関によって個別に提供される電子マネーの種類を示し、「電子マネー残高」は、この電子マネー種対応の残高を示し、「電子マネー使用履歴」は、使用年月日、支払い額、残高などの使用履歴である。
【００２７】
「入力許可回数」は、非接触ＩＣカードを使用する際の入力操作ミスを所定回数分許容するために予め任意に設定されたもので、「誤入力回数」は、非接触ＩＣカードを使用する時点で操作されているサブキー入力部１２上のサイドキーの組み合わせ操作状態を示す操作キー情報と、ユーザ認証用の「キー組み合わせ情報」とを比較した結果、両者が一致しなかった場合に、その都度更新されるカウンタ値である。専用ＣＰＵ３２Ａは、この「誤入力回数」が「入力許可回数」を超えた際に、ＩＣカード処理チップ３２の起動を無効とするようにしている。「暗証番号」は、「キー組み合わせ情報」とは別途のユーザ認証情報であり、専用ＣＰＵ３２Ａは、「誤入力回数」が「入力許可回数」を超えた場合に、暗証番号の入力を促し、これに応答して入力された番号が「暗証番号」と一致することを条件に、非接触ＩＣカードを使用する許可するようにしている。
【００２８】
非接触ＩＣカード処理部３２は、装置本体側から電源オン／オフ状態を示すＯＮ／ＯＦＦ信号が入力されていると共に、このＩＣカード処理チップ３２とサブキー入力部１２とは、コイルアンテナ部３２Ｃによって電磁誘導された電力をサブキー入力部１２に供給する電源ラインＢＬとサブキー入力部１２からキー操作信号を取り込む信号ラインＳＬを介して接続されている。この場合、非接触ＩＣカード処理部３２の起動時に、専用ＣＰＵ３２Ａは、本体側からの電源ＯＮ／ＯＦＦ信号に基づいて装置本体側が電源オフされていたり、その電池容量が不足しているかをチェックする。ここで、本体側の電源がオンされていたり、その電池容量が残っていれば、サブキー入力部１２からのキー操作信号を本体ＣＰＵ２１を介して取り込むが、本体側が電源オフされていたり、その電池容量が不足していれば、電源ラインＢＬを介してサブキー入力部１２に対して電力供給を行うと共に信号ラインＳＬを介してサブキー入力部１２からキー操作信号を取り込むようにしている。
【００２９】
次ぎに、この実施例における携帯電話装置の動作概念を図４〜図８に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３０】
図４は、電源投入に伴って実行開始される携帯電話装置の全体動作を示したフローチャートである。
先ず、本体ＣＰＵ２１は、待ち受け状態において所定の待ち受け画像を読み出して表示出力させると共に(ステップＡ１)、電話あるいはメールの着信有無をチェックし(ステップＡ２)、電話着信あるいはメール着信を検出すると、着信対応処理を実行して報知用スピーカ９から着信音を出力させると共に報知用ＬＥＤ８を点滅駆動させるほか、通話処理あるいは受信メール格納処理を実行する(ステップＡ３)。また、ＣＰＵ２１は、非接触ＩＣカード処理部３２から何らかの要求を受けたかをチェックし(ステップＡ４)、要求がなければ、メインキー入力部１上の何れかのキーが操作されたかをチェックし(ステップＡ５)、キー操作を検出した際には、この操作キー対応の処理として、たとえば、メール作成処理、電話帳登録処理などの実行に移る(ステップＡ６)。
【００３１】
図５および図６は、非接触ＩＣカード処理部３２側の全体動作を示したフローチャートであり、図７は、図５で示した電子マネー処理を詳述するためのフローチャートである。図８は、ＩＣカードリーダライタ(カード端末装置)４０側の動作を示したフローチャートである。
先ず、ＩＣカードリーダライタ(カード端末装置)４０側では、電波を発信出力しながら(図８のステップＣ１)、携帯電話装置側の非接触ＩＣカード処理部３２からの応答待ち状態となっている(ステップＣ２)。ここで、会計時に携帯電話装置をＩＣカードリーダライタ(カード端末装置)４０に接近させると、ＩＣカード処理部３２は、ＩＣカードリーダーライタ４０からの受信電波によって電磁誘導された起電力を電源として起動する。
【００３２】
先ず、ＩＣカード処理部３２が起動すると、この専用ＣＰＵ３２Ａは、メモリ部３２Ｂにユーザ認証用としての「キー組み合わせ情報」が設定されているかをチェックする(図５のステップＢ１)。この場合、「キー組み合わせ情報」が未設定であれば、無条件に電子マネー処理の実行に移るが(ステップＢ１２)、「キー組み合わせ情報」が設定登録されていれば、後述するユーザ認証処理を実行し、その結果、正規なユーザであることを条件に電子マネー処理を実行するようにしている(ステップＢ１２)。
この電子マネー処理は、図７に示す動作手順に応じて実行される。すなわち、ＩＣカード処理部３２において、専用ＣＰＵ３２Ａは、メモリ部３２Ｂから「電子マネー種」を読み出して発信出力した後(図７のステップＢ３１)、応答待ち状態となる(ステップＢ３２、Ｂ３３)。
【００３３】
ここで、ＩＣカードリーダライタ４０は、「電子マネー種」を受信取得すると(図８のステップＣ３)、自店舗で取り扱い可能な電子マネー種かを判別し(ステップＣ４)、取り扱い不可の電子マネー種であれば、電子マネー不適合メッセージをＩＣカード処理部３２側に送信するが(ステップＣ５)、自店舗で取り扱い可能な電子マネー種であれば、ＩＣカード処理部３２に対して当該マネー種対応の残高の送信要求を行う(ステップＣ６)。
ＩＣカード処理部３２は、応答待ち状態においてＩＣカードリーダライタ４０から電子マネー不適合メッセージを受信すると(図７のステップＢ３３でＹＥＳ)、本体ＣＰＵ２１に対して受信メッセージの表示要求を行うが(ステップＢ４０)、電子マネー残高の送信要求を受信した場合には(ステップＢ３２でＹＥＳ)、メモリ部３２Ｂから「電子マネー残高」を読み出して発信出力した後(ステップＢ３４)、応答待ちとなる(ステップＢ３５、Ｂ３６)。
【００３４】
ＩＣカードリーダライタ４０は、ＩＣカード処理部３２から「電子マネー残高」を受信取得すると(図８のステップＣ７)、取引端末装置(ＰＯＳ端末装置)５１から今回取引分の取引金額を受信取得し(ステップＣ８)、この取引金額と電子マネー残高とを比較することによって電子マネーで支払い可能か否かを調べる(ステップＣ９)。ここで、取引金額が電子マネー残高を超えている場合には、残高不足を示すメッセージをＩＣカード処理部３２に送信するが(ステップＣ１２)、電子マネーで支払い可能であれば、電子マネー残高から取引金額を減算して電子マネー残高を更新した後(ステップＣ１０)、この更新後の電子マネー残高をＩＣカード処理部３２に送信する(ステップＣ１１)。
【００３５】
ＩＣカード処理部３２は、応答待ち状態においてＩＣカードリーダライタ４０から残高不足を示すメッセージを受信すると(図７のステップＢ３６)、本体ＣＰＵ２１に対して受信メッセージの表示要求を行うが(ステップＢ４０)、更新後の電子マネー残高を受信すると(ステップＢ３５)、メモリ部３２Ｂの「電子マネー残高」の値を当該受信した更新残高に変更した後 (ステップＢ３７)、本体ＣＰＵ２１に対して更新後の「電子マネー残高」の表示要求を行う(ステップＢ３８)。そして、今回の取引に関する情報を「電子マネー使用履歴」に書き込んでその更新を行う(ステップＢ３９)。
【００３６】
一方、ＩＣカード処理部３２は、「キー組み合わせ情報」が設定登録されている場合には(図５のステップＢ１でＹＥＳ)、上述した電子マネー処理(ステップＢ１２)を実行する前にユーザ認証処理を行う。すなわち、ＩＣカード処理部３２は、本体側からの電源ＯＮ／ＯＦＦ信号に基づいて装置本体側が電源オンされ、その電池容量が残っているかをチェックし(ステップＢ２)、電源がオンされ、その電池容量も残っている場合には、本体ＣＰＵ２１に対してサブキー入力部１２の操作キー情報の転送要求を行った後(ステップＢ３)、本体ＣＰＵ２１からの転送有無をチェックする(ステップＢ４)。ここで、本体ＣＰＵ２１から操作キー情報が転送されて来なければ(ステップＢ４でＮＯ)、本体ＣＰＵ２１に対してサイドキーの操作を促すアラーム報知を要求すると共に(ステップＢ５)、サイドキーの操作を促すメッセージ表示を要求した後(ステップＢ６)、再度、操作キー情報の転送要求を行う(ステップＢ３)。以下、本体ＣＰＵ２１から操作キー情報が転送されて来るまで、上述の動作を繰り返す。
【００３７】
本体ＣＰＵ２１は、ＩＣカード処理部３２からの要求内容を判別し、操作キー情報の転送要求であれば(図４のステップＡ７でＹＥＳ)、サブキー入力部１２をアクセスし、そのサイドキーの操作状態を検出し(ステップＡ８)、サイドキーの操作有無をチェックする(ステップＡ９)。ここで、サブキー入力部１２を構成するサイドキーが操作されていなければ、ＩＣカード処理部３２に対して無応答のままステップＡ７に戻って操作キー情報の転送要求を再度チェックする。
【００３８】
いま、ＩＣカード処理部３２からの要求内容がアラーム報知の要求であれば(ステップＡ１１でＹＥＳ)、サイドキーの操作を促すアラーム音を発生出力させ(ステップＡ１２)、メッセージ表示の要求であれば(ステップＡ１３でＹＥＳ)、サイドキーの操作を促すメッセージを表示出力させる(ステップＡ１４)。このような操作待ち状態において、サブキー入力部１２上のサイドキーが操作されると(ステップＡ９でＹＥＳ)、このサイドキーの組み合わせ操作状態を示す操作キー情報を検出してＩＣカード処理部３２に転送する(ステップＡ１０)。
【００３９】
ＩＣカード処理部３２は、本体ＣＰＵ２１から転送されて来た操作キー情報を受け取ると(図５のステップＢ４でＹＥＳ)、この操作キー情報をメモリ部３２Ｂのワーク域に一時記憶保存した後(ステップＢ７)、メモリ部３２Ｂに登録されているユーザ認証用の「キー組み合わせ情報」を読み出すと共に(ステップＢ８)、メモリ部３２Ｂのワーク域内に保持しておいた操作キー情報と当該「キー組み合わせ情報」とを比較し(ステップＢ９)、両者が一致するか否かを判別する(ステップＢ１０)。
【００４０】
この結果、両者の不一致を検出した場合には(ステップＢ１０でＮＯ)、本体ＣＰＵ２１に対して誤操作を示すアラーム報知を要求すると共に(図６のステップＢ１６)、メモリ部３２Ｂ内の「誤入力回数」に“１”を加算してその値を更新した後(ステップＢ１７)、メモリ部３２Ｂ内の「入力許可回数」と「誤入力回数」とを比較し、「誤入力回数」は「入力許可回数」を超えたかをチェックする(ステップＢ１８)。ここで、「入力許可回数」として“３回”が設定されているものとすると、最初の誤操作検出時には「誤入力回数＝１」＜「入力許可回数＝３回」となり、「誤入力回数」は「入力許可回数」以内であるため、本体ＣＰＵ２１に対してキー操作指示用のメッセージ表示を要求すると共に(ステップＢ１９)、操作キー情報の転送を再度要求する(図５のステップＢ３)。
【００４１】
以下、上述の動作を繰り返す。この結果、「誤入力回数」が「入力許可回数」を超える前に、今回の操作キー情報と「キー組み合わせ情報」との一致が検出されると(ステップＢ１０でＹＥＳ)、「誤入力回数」をクリアした後(ステップＢ１１)、上述の電子マネー処理の実行を許可する(ステップＡ１２)。また、上述の動作を繰り返した結果、「誤入力回数」が「入力許可回数」を超えた場合には(ステップＢ１８でＹＥＳ)、本体ＣＰＵ２１に対して暗証番号の入力を示すメッセージ表示を要求すると共に(ステップＢ２０)、入力された暗証番号の転送を要求する(ステップＢ２１)。
【００４２】
本体ＣＰＵ２１は、ＩＣカード処理部３２からの要求内容を判別し、暗証番号の入力を促すメッセージ表示の要求であれば(ステップＡ１３)、そのメッセージを表示出力させ(ステップＡ１４)、暗証番号の転送要求(キー操作要求)であれば(ステップＡ７)、メインキー入力部１をアクセスしてそのキー操作状態を検出する(ステップＡ８)。ここで、メインキー入力部１の数値キーが操作されて暗証番号が入力された場合には(ステップＡ９でＹＥＳ)、この操作キー情報(暗証番号)をＩＣカード処理部３２に転送する(ステップＡ１０)。
【００４３】
ＩＣカード処理部３２は、本体ＣＰＵ２１から操作キー情報(暗証番号)が所定時間内に転送されて来たか否かをチェックし(図６のステップＢ２２)、本体ＣＰＵ２１からの暗証番号を受け取ると、メモリ部３２Ｂに登録されている「暗証番号」と比較し、両者の一致、不一致を判別する(ステップＢ２３)。ここで、暗証番号の一致を条件に、「誤入力回数」をクリアした後(図５のステップＢ１１)、上述の電子マネー処理の実行を許可する(ステップＡ１２)。また、暗証番号が所定時間内に転送されて来ない場合(ステップＢ２２でＮＯ)あるいは暗証番号が転送されて来ても登録番号と一致しない場合には(ステップＢ２３でＮＯ)、ＩＣカード機能が無効になったことを知らすメッセージ表示を本体ＣＰＵ２１に対して要求した後(ステップＢ２４)、ＩＣカード処理部３２の電源をオフ状態にセットする。
【００４４】
他方、ＩＣカード処理部３２は、本体側の電源がオンされていたり、電池容量不足である場合には(ステップＢ２でＹＥＳ)、カード端末装置(ＩＣカードリーダライタ)４０からの受信電波によって電磁誘導された電力を電源ラインＢＬを介してサブキー入力部１２に供給すると共に(ステップＢ１３)、サブキー入力部１２から信号ラインＳＬを介してキー操作信号を取り込み、そのサイドキーの操作状態を検出し(ステップＢ１４)、この操作キー情報をメモリ部３２Ｂのワーク域に一時記憶保存した後(ステップＢ１５)、メモリ部３２Ｂに登録されているユーザ認証用の「キー組み合わせ情報」を読み出し(ステップＢ８)、メモリ部３２Ｂのワーク域内に保持しておいた操作キー情報と当該「キー組み合わせ情報」とを比較し(ステップＢ９)、両者の一致することを条件に(ステップＢ１０でＹＥＳ)、「誤入力回数」をクリアする処理を実行した後(ステップＢ１１)、ＩＣカード処理チップ３２の起動を有効としてカード端末装置(ＩＣカードリーダライタ)４０との間での電子マネー処理の実行を許可する(ステップＢ１２)。
【００４５】
以上のように、この実施例の携帯電話装置においては、カード端末装置(ＩＣカードリーダライタ)４０との非接触通信によりＩＣカード処理部３２が起動された際に、この時点で操作されているサブキー入力部１２上のキーを示す操作キー情報とユーザ認証用として登録設定されている「キー組み合わせ情報」とを照合し、両者が一致する場合には、非接触ＩＣカード処理部３２の起動を有効としてＩＣカードリーダライタ４０との間での交信を許可するようにしたから、非接触ＩＣカードを使用する時点で操作されているキー操作状態に基づいて非接触ＩＣカードの使用を許可することができる。
【００４６】
すなわち、ＩＣカードリーダライタ４０に携帯電話装置を接近させながらキー操作を行えばよく、それだけアクション数を減らすことができるほか、キー操作状態を手の甲などで覆い隠すことができ、盗み読みされたり、指の動きによって推測される危険性もなく、また、非接触ＩＣカードの使用に先立ってユーザ認証用のキー操作を事前に行う必要がないため、たとえば、会計待ち人数などによって待ち時間が長くなってもその影響を受けることもない。このように携帯端末装置の紛失、盗難などによる不正使用防止対策としてユーザ認証を条件としても操作性を損なわず、安全性を維持することが可能となる。
【００４７】
非接触ＩＣカード処理部３２が起動された際にユーザ認証用の操作キー情報に一致しない場合には、非接触ＩＣカード処理部３２の起動を無効とするようにしたから、不正使用防止対策として確実なものとなる。この場合、不一致が判別される毎に更新される「誤入力回数」が「入力許可回数」を超えた際に、非接触ＩＣカード処理部３２の起動を無効としたから、第三者のランダム操作による偶発的なヒットを防ぐことができ、不正使用防止対策として有効なものとなる。
【００４８】
非接触ＩＣカード処理部３２が起動された際にユーザ認証用の操作キー情報に一致しない場合に、暗証番号の入力を促すと共に、入力された暗証番号とユーザ認証用として登録されている暗証番号とを照合した結果、両者が一致する場合には、非接触ＩＣカード処理部３２の起動を有効としてＩＣカードリーダライタ４０との間での交信を許可するようにしたから、本人などの正規なユーザがキー操作を失念してしまったような場合でも、暗証番号を入力するだけで非接触ＩＣカードの使用が可能となる。
【００４９】
また、非接触ＩＣカード処理部３２は、ＩＣカードリーダライタ４０からの受信電波によって電磁誘導される電力を電源として動作すると共に、この非接触ＩＣカード処理部３２と本体装置側のサブキー入力部１２とは電磁誘導された電力をキー入力部に供給する電源ラインＢＬとサブキー入力部１２からキー操作信号を取り込む信号ラインＳＬを介して接続されており、非接触ＩＣカード処理部３２が起動された際に、電磁誘導された電力を電源として、サブキー入力部１２からのキー操作信号を取り込んでその操作キーを検出するようにしたから、装置本体側の電源がオフされていたり、電池残量不足であっても操作キーを検出することができる。この場合、従来のＩＣカードにあっては、電池切れになると、所有者本人であっても暗証番号を入力することができないため、ＩＣカード自体の使用が不可能となるが、この実施例にあっては、電池切れの場合であっても、その影響を受けることなく、正規なユーザであることを条件に非接触ＩＣカードを使用することが可能となる。
【００５０】
また、非接触ＩＣカード処理部３２の起動時点で操作するキー入力部１２として、装置本体の両側に設けたサイドキーとしたから、装置本体がどのようなスタイルに変更したとしても操作可能であり、装置本体を構成する上部筐体と下部筐体とが重なり合っている閉じた状態(クローズスタイル)でキー操作を行うことができ、ユーザの負担を軽減できるほか、キー操作を行っていることを第三者に気付かれることもなく、安全性を高めることができる。
【００５１】
なお、上述した実施例においては、開閉式折畳型の携帯電話装置に適用した場合であるが、回転型、スライド型、折畳・回転型などの携帯電話装置に適用してもよい。この場合、装置本体の全体をコンパクト化したスタイルに変更された場合に、サブキー入力部は、非接触ＩＣカードが第三者によって不正に使用されることを防止する不正使用防止用のキーとして機能するようにすれば、サブキー入力部を多機能キーとして使用しても、その機能の切り替えが不用となる。たとえば、折畳型の携帯電話装置において、クローズスタイルのときには不正使用防止用のキーとして機能し、オープンスタイルのときには他のファンクションキー(たとえば、表示輝度調整キーなど)として機能するようにすれば、スタイルの変更に連動してキー入力部の機能を切り換えることが可能となる。
【００５２】
また、上述した実施例においてサブキー入力部１２は、装置本体の両側面に２個ずつサイドキーを配置した構成としたが、その個数は任意であると共に、クローズスタイルでも操作可能であれば、キーの配置位置も任意である。また、複数のキーを任意に組み合わせて操作するようにしたが、サブキー入力部１２は、１つのキーであってもよく、その操作回数および操作タイミングに応じてユーザ認証を行うようにしてもよい。
【００５３】
上述した実施例においては、ＩＣカード処理部３２の起動時に操作されたキーの操作状態とキー組み合わせ情報との比較、入力許可回数と誤入力回数との比較、入力された暗証番号と登録されている暗証番号との比較をその専用ＣＰＵ３２Ａが行うようにしたが、本体装置側の電源がオンされている場合には、これらの比較を本体ＣＰＵ２１側で実行するようにしてもよい。
【００５４】
上述した実施例においては、非接触ＩＣカード処理部３２の起動時に、その専用ＣＰＵ３２Ａは、本体側からの電源ＯＮ／ＯＦＦ信号に基づいて装置本体側が電源オフされていたり、その電池容量が不足しているかをチェックするようにしたが、サブキー入力部１２からのキー操作信号を本体ＣＰＵ２１を介して取り込むか、信号ラインＳＬを介して直接的に取り込むかの切り換えをハードウェア的に行うようにしてもよい。
【００５５】
また、非接触ＩＣカード処理部３２は、ＩＣカードリーダライタ４０からの受信電波によって電磁誘導される電力を非接触ＩＣカード処理部３２からサブキー入力部１２に電力を供給する際に、ＩＣカードリーダライタ４０に対して電波の増強を要求するようにしてもよい。この場合、ＩＣカードリーダライタ４０は、この要求に応じて電波を一時的に増強することによって非接触ＩＣカード処理部３２側で高電力を得るようにしてもよい。
【００５６】
その他、非接触ＩＣカード処理部３２を電子マネー支払い機能として適用した場合を例示したきが、定期券、乗車券、入場券、クレジットカードなどにも同様に適用可能であり、また、携帯電話装置に限らず、非接触ＩＣカード機能付きのＰＤＡ、電子カメラ、電子腕時計、音楽再生機などの携帯端末装置であっても同様に適用可能である。
【００５７】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、ユーザ認証用としてキー操作の状態を示す操作キー情報を記憶管理する機能と、外部処理装置との非接触通信により非接触ＩＣカード処理部が起動された際に、この時点で操作されているキー入力部上の操作キーを検出する機能と、検出された操作キー情報と前記認証情報として記憶されている操作キー情報とを照合して両者が一致するか否かを判別する機能と、両者の一致が判別された場合に、非接触ＩＣカード処理部の起動を一時的に有効として外部処理装置との間での交信を許可する機能とを実現させるためのプログラムを記録したコンピュータが読み取り可能な記録媒体を提供するようにしてもよい。
【図面の簡単な説明】
【００５８】
【図１】携帯電話装置の外観図で、(Ａ)は、折り畳み型の装置本体を開いた状態での正面図、(Ｂ)は、その状態での背面図。
【図２】携帯電話装置の基本的構成要素を示したブロック図。
【図３】非接触ＩＣカード処理部３２側において、電子マネーに関するデータとして格納されているメモリ部３２Ｂの内容を示した図。
【図４】電源投入に伴って実行開始される携帯電話装置の全体動作を示したフローチャート。
【図５】非接触ＩＣカード処理部３２側の全体動作を示したフローチャート。
【図６】図５に続くフローチャート。
【図７】図５で示した電子マネー処理を詳述するためのフローチャート。
【図８】ＩＣカードリーダライタ(カード端末装置)４０側の動作を示したフローチャート。
【符号の説明】
【００５９】
１  メインキー入力部
２  メイン表示部
５  サブ表示部
８  報知用ＬＥＤ
９  報知用スピーカ
１２  サブキー入力部
２１  ＣＰＵ
２２  記憶部
３２  非接触ＩＣカード処理部
３２Ａ  専用ＣＰＵ
３２Ｂ  メモリ部
３２Ｃ  コイルアンテナ部
４０  カード端末装置(ＩＣカードリーダライタ)
５１  取引端末装置(ＰＯＳ端末装置)
ＢＬ  電源ライン
ＳＬ  信号ライン
【図１】
2006253762.tif 000003
【図２】
2006253762.tif 000004
【図３】
2006253762.tif 000005
【図４】
2006253762.tif 000006
【図５】
2006253762.tif 000007
【図６】
2006253762.tif 000008
【図７】
2006253762.tif 000009
【図８】
2006253762.tif 000010